(57)【要約】船舶（５０）の船体（６０）の外側を洗浄し、貨物倉の壁部（７０）を洗浄する装置（１）であって、の対向する側面に磁気連続トラック（３）を備えたハウジング（２）と、駆動ピン（１０）で相互接続され、内向き側（１８）と外向き側（１９）とを有する複数のリンク（９）を有する前記磁気連続トラック（３）のそれぞれに対して前輪（６）及び後輪（５）と、前記前輪（６）と前記後輪（５）との間の前記磁気連続トラック（３）の少なくとも一方の範囲の第１の部分における前記リンク（９）が、前記外向き側（１９）が向いている方向に移動するのを防ぐために前記駆動ピン（１０）と係合するよう構成されたガイド（４０）と、を備える装置と、船舶の船体の外側を洗浄し、貨物倉内の貨物スペースの壁部を洗浄する水中装置であって、その対向する側面に磁気連続トラックを備えた防水ハウジングと、少なくとも１つの磁気連続トラックに動作可能に接続され、磁気連続トラックを駆動する、ハウジング内の少なくとも１つの駆動モータとを備える装置。上記防水ハウジングは、磁気連続トラック間に主面を有している。
2019526487.tif 000002
【特許請求の範囲】
【請求項１】
船舶（５０）の船体（６０）の外側を洗浄し、貨物倉の壁部（７０）を洗浄するための装置（１）であって、
ハウジング（２）であって、前記ハウジング（２）の対向する側面に磁気連続トラック（３）が設けられたハウジング（２）と、
駆動ピン（１０）で相互接続され、内向き側（１８）と外向き側（１９）とを有する複数のリンク（９）を備える前記磁気連続トラック（３）のそれぞれに対する前輪（６）及び後輪（５）と、
前記前輪（６）と前記後輪（５）との間の前記磁気連続トラック（３）の少なくとも１つの範囲の第１の部分における前記リンク（９）が、前記外向き側（１９）が向いている方向に移動するのを防ぐために前記駆動ピン（１０）と係合するように構成されたガイド（４０）と
を備えることを特徴とする装置（１）。
【請求項２】
前記装置（１）は、前記船体の前記外側又は前記貨物倉の前記壁部と対向するように構成された底部側（１６）を有し、前記磁気連続トラック（３）の少なくとも１つの範囲の前記第１の部分は、前記装置（１）の底部側（１６）に配置されていることを特徴とする、請求項１に記載の装置（１）。
【請求項３】
各磁気連続トラック（３）は、前記前輪（６）の１つ及び前記後輪（５）の１つの周りに掛け渡され、各磁気連続トラック（３）は、前記装置（１）の前記船体の前記外側又は前記貨物倉の前記壁部に対向する側において前記前輪（６）の前記１つと前記後輪（５）の前記１つの間にほぼ一直線に延在していることを特徴とする、請求項１又は２に記載の装置（１）。
【請求項４】
前記ガイド（４０）は、前記第１の部分に沿ってほぼ一直線に延在するガイド面（４１）を有することを特徴とする、請求項１〜３のいずれかの請求項に記載の装置（１）。
【請求項５】
前記ガイド面（４１）は、前記駆動ピン（１０）をガイドするように構成されていることを特徴とする、請求項４に記載の装置（１）。
【請求項６】
前記ガイド（４０）は、前記前輪（６）及び後輪（５）の回転面に平行なサイドパネルと、前記第１のサイドパネルと直角なガイド面（４１）とを有することを特徴とする、請求項１〜５のいずれかの請求項に記載の装置（１）。
【請求項７】
前記ガイド面（４１）は、前記サイドパネルと一体化した部分であって、前記ガイド面は、好ましくは前記サイドパネルに対して直角に延在するレッジにより形成されていることを特徴とする、請求項６に記載の装置（１）。
【請求項８】
各磁気連続トラック（３）に対して、関係する前記磁気連続トラック（３）の各側に１つのガイド（４０）を有する、２つの対向するガイド（４０）を備えることを特徴とする、請求項１〜７のいずれかの請求項に記載の装置（１）。
【請求項９】
前記ガイド（４０）は、前記前輪（６）と前記後輪（５）との間で一直線に沿って前記駆動ピン（１０）をガイドするように構成されていることを特徴とする、請求項１〜８のいずれかの請求項に記載の装置（１）。
【請求項１０】
前記ガイド（４０）は、前記リンク（９）が前記前輪（６）と前記後輪（５）との間の前記磁気連続トラック（３）の範囲において一直線構成から引き離されないように構成されていることを特徴とする、請求項１〜９のいずれかの請求項に記載の装置（１）。
【請求項１１】
磁気連続トラック（３）のためのリンク（９）であって、駆動ピン（１０）によって複数の前記リンク（９）が相互接続され、前記リンクは、内向き側（１８）と外向き側（１９）とを有し、前記リンク（９）は、埋め込まれた永久磁石（４）を備え、前記外向き側（１９）には、１つ又は複数の交換可能な摩擦パッド（３７）が設けられていることを特徴とする、リンク（９）。
【請求項１２】
前記摩擦パッド（３７）は、前記外向き側（１９）へと開口するマッチングスロット（３８）内に収容されていることを特徴とする、請求項１１に記載の磁気連続トラック（３）のためのリンク（９）。
【請求項１３】
前記永久磁石（４）は、前記外向き側（１９）の表面の近くに配置され、前記スロット（３８）は、前記永久磁石（４）に隣接して、好ましくは前記永久磁石（４）の対向する両側に配置されていることを特徴とする、請求項１１又は１２に記載の磁気連続トラック（３）のためのリンク（９）。
【請求項１４】
請求項１１〜１３のいずれか一項に記載のリンク（９）及び複数の摩擦パッド（３７）のアセンブリであって、前記複数の摩擦パッド（３７）は、前記複数の摩擦パッド（３７）が前記外向き側（１９）の前記表面から突出する程度を調節するための異なる高さを有する、アセンブリ。
【請求項１５】
磁気連続トラック（３）のリンク（９）における永久磁石（４）と、前記磁気連続トラック（３）が磁気的に取り付けられた壁部又は船体との間の距離を調整するための方法であって、
前記リンク（９）の外向き面（１９）から突出する交換可能な摩擦パッド（３７）を前記リンク（９）に設ける工程と、
前記摩擦パッドが前記リンク（９）の外向き面（１９）から突出する程度を調節する工程と
を含むことを特徴とする方法。
【請求項１６】
船舶の船体の外側を洗浄するための、及び貨物倉内の貨物スペースの壁部を洗浄するための水中装置であって、
防水ハウジングであって、前記防水ハウジングの対向する側面に磁気連続トラックが設けられた防水ハウジングと、
少なくとも１つの磁気連続トラックに動作可能に接続され、前記磁気連続トラックを駆動する、前記ハウジング内の少なくとも１つの駆動モータと
を備え、
前記防水ハウジングは、前記磁気連続トラック間に主面を有し、前記主面は、好ましくは前記船体から離れる方向に向き、前記主面は、洗浄ツールを着脱可能に取り付けるように構成されていることを特徴とする、装置。
【請求項１７】
２つの前記磁気連続トラックは、前記連続トラックが前記船舶の前記船体に磁気的に付着することが可能になるように、前記連続トラックの長さに沿ってほぼ均等に分布した複数の永久磁石を備えることを特徴とする、請求項１６に記載の装置。
【請求項１８】
前記防水ハウジングは、前部及び後部を有し、前記装置は、前記２つの磁気連続トラックのそれぞれに、前輪及び後輪をさらに備え、前記防水ハウジングは、２つの電気駆動モータを備え、一方の電気駆動モータは、前記磁気連続トラックのうちの一方の前記前輪に動作可能に接続され、他方の電気駆動モータは、前記磁気連続トラックのうちの他方の前記後輪に動作可能に接続されていることを特徴とする、請求項１６又は１７に記載の装置。
【請求項１９】
各電気駆動モータは減速ギアを備え、前記減速ギアは、前記減速ギアとほぼ円筒形状を好ましくは有する前記電気駆動モータとの結合で、前記電気駆動モータと１つの一体ユニットを形成し、従動の前記前輪又は後輪のそれぞれが、前記減速ギアの出力軸、もしくは前記減速ギアに接続されたクラッチユニットの出力軸に直接嵌合していることを特徴とする、請求項１８に記載の装置。
【請求項２０】
前記電気駆動モータの前記出力軸に対向する部分は、前記防水ハウジングの側面から突出し、非従動の前輪又は後輪は、前記電気駆動モータの突出部分が前記突出部分の上方に配置されている前記非従動の前記前輪又は後輪の内側に収容されることを可能にするオフセットを有していることを特徴とする、請求項１９に記載の装置。
【請求項２１】
前記電気駆動モータは、前記防水ハウジングの２つの対向する長手方向端部又はその付近に配置され、それらの出力軸のそれぞれ、及び／又は関連する前記電気駆動モータに結合された前記減速ギアの前記出力軸のそれぞれが、対向する方向に向けられ、好ましくは前記防水ハウジングの対向する長手方向端部又はその付近において前記ハウジングの対向する側面から突出していることを特徴とする、請求項１９又は２０に記載の装置。
【請求項２２】
前記電気駆動モータ及び減速ギアユニットに一体的に接続されたクラッチユニットをさらに備え、前記駆動モータと、減速ギアと、前記クラッチユニットとを組み合わせは、好ましくは円筒形状を有することを特徴とする、請求項１９〜２１のいずれか一項に記載の装置。
【請求項２３】
前記主面には、ツールを着脱可能に取り付けるための汎用取付板が設けられていることを特徴とする、請求項１６〜２２のいずれか一項に記載の装置。
【請求項２４】
前記防水ハウジングには、ライト、カメラ、又はセンサを取り付けるように構成可能なインタフェース領域が設けられ、前記インタフェース領域は、好ましくは前記防水ハウジングの前側又は後側であることを特徴とする、請求項１６〜２３のいずれか一項に記載の装置。
【請求項２５】
サスペンションワイヤ、電源ケーブル、及び／通信ケーブルによって前記装置に接続されたドッキングステーションをさらに備えることを特徴とする、請求項１６〜２４のいずれか一項に記載の装置。
【請求項２６】
前記ドッキングステーションは、高圧水を送水するための高圧ポンプを備え、前記装置に取り付けられた高圧洗浄ツールの入口は、高圧ホースを介して前記高圧ポンプの出口に接続されていることを特徴とする、請求項２５に記載の装置。
【請求項２７】
前記洗浄ツールは、少なくとも１つのブラシ駆動部によって回転可能なノズル及び／又はブラシを備え、前記ブラシ駆動部は、好ましくは前記高圧ポンプからの高圧水によって作動することを特徴とする、請求項２６に記載の装置。
【請求項２８】
ユーザインタフェースユニットが、前記ドッキングステーションに接続されている、又はその一部であって、前記ユーザインタフェースユニットは、好ましくは、人間オペレータからの入力に応じて、前記装置の動作を制御するためのユーザインタフェース要素を備えることを特徴とする、請求項２４〜２７のいずれか一項に記載の装置。
【請求項２９】
前記ドッキングステーションは、前記船舶の給水システムに接続するためのホースリール上の給水ホース、及び／又は前記船舶のグリッドに接続するための電源ケーブルと電源ケーブルリールを備えることを特徴とする、請求項２４〜２８のいずれか一項に記載の装置。
【請求項３０】
前記ドッキングステーションは、前記サスペンションワイヤ用の電動ワイヤリール、並びに／又は前記電源ケーブル及び／若しくは通信ケーブル用のケーブルリール、並びに／又は前記高圧ホース用の高圧ホースリールを備えることを特徴とする、請求項２４〜２９のいずれか一項に記載の装置。
【請求項３１】
前記ドッキングステーションには車輪が付けられ、前記装置及び前記ドッキングステーションは、前記装置が前記ドッキングステーションによって搬送及び移送されることができるように構成されていることを特徴とする、請求項２４〜３０のいずれか一項に記載の装置。
【請求項３２】
前記ドッキングステーションは、前記船舶に設けられたＲＦＩＤ応答機の読み取りを行うように構成されたＲＦＩＤ送受信機を備えることを特徴とする、請求項２４〜３１のいずれか一項に記載の装置。
【発明の詳細な説明】
【技術分野】
【０００１】
本開示は、常設型洗浄装置に関し、特に、磁気連続トラックによって船体又は貨物室の壁部に装着された船体洗浄装置、及び、船舶の船体の水中及び水上の表面並びに船舶の船体内の貨物倉の壁部から有機及び無機堆積物を除去する装置に関するものである。
【背景技術】
【０００２】
海運業における競争の激化に伴い、コスト削減がますます重視されている。船舶会社にとっての唯一最大の原価作用因は燃料である。大型船は１日に１００トン以上の燃料を使用する。一般貿易や遅い蒸気処理及び休止期間は、海生増殖（汚損）が進む条件である。海生増殖は、船舶の水中部分の表面粗度を増加させ、所定のプロペラ速度で達成し得る船の燃料効率及び速度の両方に大きな影響を与えることになる。商用、民間及び軍用の船舶にとって、船舶性能の低下は、経済面においても、到着予定日の厳守の観点からもさまざまな影響をもたらすことになる。
【０００３】
船舶全体を定期的に洗浄するのには環境上の理由もある。殺生物性防汚製品が今後禁止される可能性と相まって、地球環境規制は近い将来ますます厳しさを増すことが予想されている。例えば、サンゴ礁の保護を目的とした水生特定外来生物の移動に対する規制もそう遠くない将来に実施される見込みである。そのような規制に応えるためには、船体を常に清潔に保つことが必要となり、船舶に装置を常設することによって、船の位置にかかわらず船体を清潔に保つことができるようにする。ダイバーにより船体の洗浄を行うことは、ダイバーが実際洗浄作業中に命を落とすこともあるため、安全衛生面での問題が生じる。このことも経営陣にとって安全統計報告上マイナスである。
【０００４】
殺生物剤を含まない又はほとんど含まない新しい高性能塗料（シリコン塗料）の中には、機能せず絶えず洗浄が必要なものもある。質の高い洗浄を必要な時に、すなわち、洗浄が必要な時に船が位置している場所で行えることはほとんどない。入手可能な液剤の質を制御したり検証することは不可能である場合が多い。低品質の洗浄液は、コーティングを傷つけることもあり、船主に経済面でのさらなる問題をもたらすことになる。
【０００５】
既存の解決策のほとんどは、水線以下の洗浄しか行えない。既存の解決策はいずれも「被害が出た」場合に契約が交わされる「オンデマンド要請」のサービスである。この時点では、燃料がさらに消費されることで、用船主や船主にはすでにかなりのコストがかかっている。オンデマンド要請のサービスには、大規模な乗組員が必要となる（ＨＱ、代理店、港湾局、洗浄会社）。オンデマンド要請での洗浄には費用がかかる。洗浄作業は日中にしか行えず、また港に停泊中は船の片側しか洗浄できないため、最後まで行えないことが多い。管理の段階が非常に徹底しており、ダイビング会社、海運業者、実際のダイバーのダイビング用品、ＨＳＥなどの承認を含め、ありとあらゆるさまざまなステップが必要となる。
【０００６】
立入禁止区域へと水生特定外来生物を移動するには、特定の区域に入る前に直ちに船体を洗浄する必要がある場合がある。これにより、外部の洗浄サービスにさらなる待ち時間が生じ、重いペナルティが課される。常設の解決法として、大型船舶の船体の予防的な洗浄が行えるものは現時点では存在しない。そのような装置を船体に取り付ける提案も含め、さまざまな装置や方法が提案されてはいるが、現市場で入手可能なもので機能しかつ信頼性のある恒久的な解決を見出せるものはない。
【０００７】
特許文献１には、船体の洗浄／検査を行うクローリング遠隔操作無人探査機（ＲＯＶ）が開示されている。このＲＯＶは、電気駆動型の内蔵油圧パワーユニット（ＨＰＵ）を備えている。そして、ＲＯＶは、船体に対して付着力と摩擦力を与えるトラックをさらに備えている。このトラックは、トラックのリンクに取り付けられた摩擦パッドにより前進する。この摩擦パッドは、エラストマーパッド又はエラストマーコーティングを有する磁石ブロックを備えている。
【０００８】
特許文献２には、船体や鉄表面に近づいたり遠ざかったりする磁石によってその表面に付着し、磁石空隙ひいては引力の調整を行うシャーシが開示されている。この１つ又は複数の磁石は、唯一の付着力として用いられる場合もあれば、吸引チャンバや流体ジェット駆動部などの他の駆動源と共に用いられる場合もある。クランク機構の内部磁石は、非鉄けん引面又はタイヤを有する車輪本体内の車輪回転軸の周りを旋回することができる。
【０００９】
特許文献３には、船の壁面のサビを除去する壁面走行ロボット及びその動作方法が開示されている。この壁面走行ロボットには、フレーム、チェーントラック走行機構、永久磁気吸着ユニット、左上駆動モータ、左上減速器、右下駆動モータ、右下減速器が備えられている。チェーントラック走行機構は、左チェーントラックと右チェーントラックから構成され、永久磁気吸着ユニットは、このチェーントラック走行機構に搭載されている。超高圧水ジェット真空サビ取りクリーナが外部から真空源と永久磁気吸着ユニットに接続され、真空永久磁気混合吸着を形成している。この方法には、チェーンの張力を規制する工程と、高さを調整する工程と、移動を制御する工程とが含まれる。本発明では、真空永久磁気混合吸着モードを採用して壁面走行ロボットを設計し、永久磁気吸着力と共にサビ真空の負圧の利用及び再利用を行うことにより、壁面走行ロボットが吸着、安全な動作、コンパクトな吸着構造を達成し、高い高度でも大きな負荷の作業を行うことが可能となる。
【先行技術文献】
【特許文献】
【００１０】
【特許文献１】英国特許出願公開第２５２８８７１号明細書
【特許文献２】米国特許出願公開第２０１４−２３０７１１号明細書
【特許文献３】中国特許出願公開第１０１７０４２４１号明細書
【発明の概要】
【発明が解決しようとする課題】
【００１１】
本発明の目的は、磁気連続トラックによって船舶の船体に確実に取り付け可能な、船体の洗浄装置を提供することにある。
【００１２】
上記及びその他の目的は、独立請求項の特徴によって達成される。さらなる実施形態は、従属請求項、説明及び図面から明らかとなろう。
【課題を解決するための手段】
【００１３】
第１の態様によれば、船舶の船体の外側を洗浄し、貨物倉の壁部を洗浄する装置であって、その対向する側面に磁気連続トラックを備えたハウジングと、
駆動ピンで相互接続され、内向き側と外向き側とを有する複数のリンクを有する磁気連続トラックのそれぞれに対して前輪及び後輪と、前輪と後輪との間の磁気連続トラックの少なくとも一方の範囲の第１の部分におけるリンクが、外向き側が向いている方向に移動するのを防ぐために駆動ピン（と係合するよう構成されたガイドと、を備える装置が提供される。
【００１４】
駆動ピンの外向き方向への移動を防ぐガイドを設けることにより、連続トラックの屈曲（連続トラックの部分に力が加えられていない場合の該連続トラックの部分によって仮定される前後輪間の直線に対する屈曲）によりリンクが「１つずつ」船体から分離（剥離）することがほとんど不可能となる。このガイドによって、船体と接触しているリンクが、まるで剛体に固定され、一直線上に配置されているかのように機能するようになる。よって、上記装置は、磁気連続トラックのリンクが「一度に１つずつ剥離する」のとは対照的に、すべての磁気リンクの接触が同時に外れることによってのみ船体から取り外すことができる。このようにリンクが１つのリンク剛体として機能することによって、磁気連続トラックを船体から取り外す力又は負荷が大幅に増加する。この力／負荷は、上記ガイドが設けられていない場合、単一のリンクを取り外すのに必要な力にほぼ相当する。一方、ガイドが設けられている場合、磁気連続トラックを船体から取り外す力／負荷は、単一のリンクを取り外すのに必要な力に、ガイドによって同時に支持されているリンクの数を乗じた力にほぼ相当する。このガイドによって、船体に対向している装置の側面で前後輪間に延在するすべてのリンクを支持することができるので、装置を取り外すのに必要な力／負荷を、船体と同時に接触しているリンクの数に対応する分だけ増加させることができる。
【００１５】
上記第１の態様の第１の可能な実施形態では、上記装置の底部側は、船体の外側又は貨物倉の壁部と対向するよう構成され、この装置の底部側に上記第１の部分が配置されている。
【００１６】
上記第１の態様の第２の可能な実施形態では、一方の前輪及び一方の後輪の周りに各磁気連続トラックが掛け渡され、各磁気連続トラックが、装置の船体の外側又は貨物倉の壁部に対向する側において該一方の前輪及び該一方の後輪の間にほぼ一直線に延在している。
【００１７】
上記第１の態様の第３の可能な実施形態では、上記ガイドは、上記第１の部分に沿ってほぼ一直線に延在するガイド面を有する。
【００１８】
上記第１の態様の第４の可能な実施形態では、上記ガイド面は、駆動ピンをガイドするよう構成されている。
【００１９】
上記第１の態様の第５の可能な実施形態では、上記ガイドは、上記前後輪の回転面に平行な面と、上記サイドパネルと直角なガイド面とを有する。
【００２０】
上記第１の態様の第６の可能な実施形態では、上記ガイド面は、サイドパネルと一体化した部分であり、サイドパネルと直角に延在するレッジにより形成されていることが好ましい。
【００２１】
上記第１の態様の第７の可能な実施形態では、各磁気連続トラックの２つの対向するガイドは、該磁気連続トラックのそれぞれの側にガイドが１つずつ設けられている。
【００２２】
上記第１の態様の第８の可能な実施形態では、上記ガイドは、前輪及び／又は後輪の周りに該磁気連続トラックの経路に沿った湾曲部を有している。
【００２３】
上記第１の態様の第９の可能な実施形態では、上記ガイドは、前後輪の間に一直線に沿って駆動ピンをガイドするよう構成されている。
【００２４】
上記第１の態様の第１０の可能な実施形態では、上記ガイドは、リンクが磁気連続トラックの範囲において、一直線構成から引き離されないように構成されている。
【００２５】
磁気連続トラックのリンクであって、複数のリンクが駆動ピンによって相互接続され、このリンクは内向き側と外向き側とを有し、永久磁石が埋め込まれ、外向き側には１つ又は複数の交換可能な摩擦パッドが設けられているリンクが提供される。
【００２６】
上記第２の態様の第１の可能な実施形態では、上記摩擦パッドは、外向き側へと開口するマッチングスロット内に収容されている。
【００２７】
上記第２の態様の第２の可能な実施形態では、上記永久磁石が外向き側の表面の近くに配置され、上記スロットがこの永久磁石に隣接して、好ましくは永久磁石の対向する両側に配置されている。
【００２８】
第３の態様によれば、上記第２の態様に係るリンクのアセンブリとその実施方法、摩擦パッドが外向き面から突出する程度を調節する異なる高さを有する複数の摩擦パッドが提供される。
【００２９】
第４の態様によれば、磁気連続トラックのリンクにおける永久磁石と、その磁気連続トラックが磁気的に取り付けられた壁部又は船体との距離を調整する方法であって、リンクの外向き面から突出する交換可能な摩擦パッドをリンクに設ける工程と、摩擦パッドが外向き面から突出する程度を調節する工程とを備える方法が提供される。
【００３０】
所定の高さを有する摩擦パッドを選択することにより、該リンクに埋め込まれている永久磁石と、そのリンクが取り付けられている壁部又は船体との間の距離を規制することができ、それによって付着力を必要に応じて規制することができる。
【００３１】
第５の態様によれば、船舶の船体の外側を洗浄し、貨物倉内の貨物スペースの壁部を洗浄する水中装置であって、その対向する側面に磁気連続トラックを備えた防水ハウジングと、少なくとも１つの磁気連続トラックに動作可能に接続され、前記磁気連続トラックを駆動する、前記ハウジング内の少なくとも１つの駆動モータと、を備え、防水ハウジングは、磁気連続トラック間に主面を有し、該主面は前記船体から離れる方向に向いていることが好ましく、主面は洗浄ツールを着脱可能に取り付けるよう構成されている装置が提供される。
【００３２】
上記装置は、汚損を早い段階で除去することで早期洗浄を行うことにより、ひどい汚損を防止することができる。この予防的洗浄は、高圧水噴流又はブラシによる軽い洗浄によってサポートされている。この洗浄は、好ましくは船舶の航海中にも、装置が船舶に常設されているため、世界中のいつどこにいても行うことができる。
【００３３】
上記装置は、磁気付着により、航海中でも洗浄を行うことができる。また、この装置は、磁気トラックにより、水線上方での洗浄を行うことが可能であり、これは貨物／バラスト中などでは水位が異なるため必要である。
【００３４】
上記装置は船舶に常設可能ではあるが、現在の解決策はいずれも「オンデマンド要請」であり、永久的に船上での必要に応じた使用となる。
【００３５】
上記第５の態様の第１の可能な実施形態では、上記２つの磁気連続トラックは、その連続トラックの長さに沿ってほぼ均等に分布した複数の永久磁石を備え、それにより連続トラックが船舶の船体やその貨物スペースの壁部に磁気的に付着することが可能となっている。
【００３６】
上記第５の態様の第２の可能な実施形態では、上記ハウジングは、前部と後部を有している。上記装置は、上記２つの磁気連続トラックのそれぞれに、防水の前輪と後輪をさらに備えている。上記ハウジングには、２つの電気駆動モータが設けられている。一方の電気駆動モータは、磁気連続トラックのうちの１つの従動前輪に動作可能に接続され、他方の電気駆動モータは、磁気連続トラックの後輪に動作可能に接続されている。
【００３７】
上記第５の態様の第３の可能な実施形態では、各電気駆動モータには、減速ギアとほぼ円筒形状を有する電気駆動モータとの結合に関与している電気駆動モータと１つの一体ユニットを形成する減速ギアが設けられ、各従動前輪又は後輪が、該減速ギアの、もしくは各減速ギアと動作可能に接続されたクラッチの出力軸に直接嵌合している。
【００３８】
上記第５の態様の第４の可能な実施形態では、電気駆動モータは、その出力軸に対向する部分が上記ハウジングの側面から突出し、非従動前輪又は後輪は、電気駆動モータの突出部分が、その突出部分の上方に配置されている非従動前輪又は後輪の内側に収容可能となるオフセットを有している。
【００３９】
上記第５の態様の第５の可能な実施形態では、電気駆動モータは、防水ハウジングの２つの対向する長手方向端部又はその付近に配置され、それぞれの出力軸及び／又は該電気駆動モータと結合した減速ギアのそれぞれの出力軸がそれぞれ反対の方向に向けられ、ハウジングの対向する長手方向端部又はその付近において、ハウジングの対向する側面から突出していることが好ましい。
【００４０】
上記第５の態様の第６の可能な実施形態では、上記装置は、電気駆動モータと減速ギアユニットに一体的に接続されたクラッチユニットを備えている。駆動モータと、減速ギアと、クラッチユニットとを組み合わせたものは、円筒形状を有していることが好ましい。
【００４１】
上記第５の態様の第７の可能な実施形態では、主面は、ツールを着脱可能に取り付けるための汎用取付板を備えている。
【００４２】
上記第５の態様の第８の可能な実施形態では、上記ハウジングは、ライト、カメラ、センサを取り付けるよう設定可能なインタフェース領域が設けられた前側又は後側を有している。
【００４３】
上記第５の態様の第９の可能な実施形態では、サスペンションワイヤ、電源ケーブル及び／通信ケーブルによって上記装置に接続されたドッキングステーションをさらに備える。
【００４４】
上記第５の態様の第１０の可能な実施形態では、上記ドッキングステーションは、高圧水を送水するための高圧ポンプを備え、装置に取り付けられた高圧洗浄ツールの入口は、高圧ホースを介して高圧ポンプの出口に接続されている。
【００４５】
上記第５の態様の第１１の可能な実施形態では、洗浄ツールは、少なくとも１つのブラシ駆動部で回転可能なノズル及び／又はブラシを備え、このブラシ駆動部は、高圧ポンプからの高圧水で作動することが好ましい。
【００４６】
上記第５の態様の第１２の可能な実施形態では、ユーザインタフェースユニットがドッキングステーションに接続されている、もしくはその一部である。このユーザインタフェースユニットは、人間オペレータからの入力に応じて、装置の動作を制御するユーザインタフェース要素を有している。
【００４７】
上記第５の態様の第１３の可能な実施形態では、上記ドッキングステーションには、船舶の給水システムと接続するためのホースリール上の給水ホース及び／又は船舶のグリッドと接続するための電源ケーブルと電源ケーブルリールが設けられている。
【００４８】
上記第５の態様の第１４の可能な実施形態では、上記ドッキングステーションには、サスペンションワイヤ用の電動ワイヤリール、電源ケーブル用のケーブルリール、高圧ホース用の高圧ホースリールが設けられている。
【００４９】
上記第５の態様の第１５の可能な実施形態では、上記ドッキングステーションには車輪が付けられ、装置とドッキングステーションは、装置がドッキングステーションによって搬送・移送が可能なようにドッキングステーションに載置できるよう構成されている。
【００５０】
上記第５の態様の第１６の可能な実施形態では、上記ドッキングステーションは、船舶のデッキに設けられたＲＦＩＤ応答機の読み取りを行うＲＦＩＤ送受信機を備えている。この応答機は船舶上に配置され、ドッキングステーションをＲＦＩＤ応答機の上方又はその付近に配置することにより、洗浄に適した正しいルートを自動的に決定する。
【００５１】
上記第５の態様の第１６の可能な実施形態では、上記装置及び／又はドッキングステーションは、半自動又は全自動洗浄を行うよう構成された電子制御ユニットを備えている。
【００５２】
上記第５の態様の第１７の可能な実施形態では、上記電子制御ユニットは、最適な洗浄を行うために事前にプログラムされたルートを取るよう構成されている。
【００５３】
本発明のこれらの及びその他の態様は、以下に示す実施例から明らかとなろう。
【００５４】
本開示の以下の詳細な説明では、本発明について、以下の図面に示す例示的な実施例を参照しながらさらに詳しく説明する。
【図面の簡単な説明】
【００５５】
【図１】船体洗浄装置の例示的な実施例を示す正面及び背面立面図である。
【図２】船体洗浄装置の例示的な実施例を示す正面及び背面立面図である。
【図３】船舶の貨物倉で作動中の図１及び図２の装置を示す立面図である。
【図４】図１及び図２の装置を示す断面図である。
【図５】図１及び図２に示す装置が船体や貨物スペースの壁部の洗浄に用いられる船舶を示す上面図である。
【図６】図１及び図２に示す装置に関連するドッキングステーション用の駐車場所を示す図５の船舶のデッキの一部を示す立面図である。
【図７】図６の駐車場所に駐車した、図１及び図２の装置に関連するドッキングステーションを示す立面図である。
【図８】船体洗浄装置の他の例示的な実施例を示す正面及び背面立面図である。
【図９】船体洗浄装置の他の例示的な実施例を示す正面及び背面立面図である。
【図１０】図８及び図９に示す装置のハウジング及びツールを示す詳細半分解図である。
【図１１】図８及び図９に示す装置のハウジング及びツールを示す詳細側面図である。
【図１２】図１１の拡大詳細図である。
【図１３】ツールが取り付けられていない状態の図８及び図９の装置を示す側面図である。
【図１４】図１３の拡大詳細図である。
【図１５】図８及び図９の装置の磁気連続トラックを示す上面図である。
【図１６】図８及び図９の装置の磁気連続トラックのリンクを示す分解立面図である。
【図１７】図８及び図９の装置の磁気連続トラックのリンクを示す立面図である。
【図１８】図８及び図９の装置の磁気連続トラックのリンクを示す側面図である。
【図１９】図８及び図９の装置を示す断面図である。
【図２０】図８及び図９の装置の磁気連続トラックのためのガイドを示す立面図である。
【図２１】図１９の拡大詳細図である。
【発明を実施するための形態】
【００５６】
図１及び図２は、船舶５０（図５）の船体６０の外側を洗浄する水中装置１を示す図である。この装置１は、貨物倉６０の貨物スペースの壁部の洗浄にも適している。装置１は、その対向する側面に磁気連続トラック３を備えた防水ハウジング２を有する。
【００５７】
上記磁気無端トラックは、一実施例において、１つ又は複数の主車輪（図示せず）と、１つ又は複数の遊動輪２６とを備えている。この磁気トラックは、ヒンジで連結されたモジュール式チェーンリンクから形成され、各リンク又は各第２のリンクには永久磁石が設けられている。
【００５８】
上記防水ハウジング２内の少なくとも１つの駆動モータ１４、１７は、少なくとも１つの磁気連続トラック３に動作可能に接続され、その磁気連続トラック３の駆動を行なっている。防水ハウジング２は、磁気連続トラック３間に主面７を有している。この主面７は、洗浄作業中は、船体や貨物室の壁部から離れる方向に向いている。そして、主面７は、例えば、１つ又は複数の磁気又は高速カップリング（図示せず）によって洗浄ツール２０を着脱可能に取り付けるための汎用取付板を備えている。洗浄ツール２０は、さまざまなタイプあるうちのいずれかを用いればよい。洗浄ツール２０の１つのタイプとしては、高圧洗浄ノズル２２と、高圧水用ホース（図示せず）と接続するための入口とを有するものがある。上記洗浄装置２０は、一実施例（図示せず）において、高圧ホースを介して供給される高圧水や電気駆動モータによって駆動される回転ブラシ及び駆動部を備えていてもよい。
【００５９】
上記２つの磁気連続トラック３は、その連続トラック３の長さに沿ってほぼ均等に分布した複数の永久磁石４を備え、それにより連続トラックが船舶５０の船体やその貨物スペースの壁部に磁気的に付着することが可能となっている。
【００６０】
各永久磁石４は、ゴム材料に成形された後、その鋼表面に対向する部分をゴム材料が貫通するポリマー筐体に再成形される。これにより、洗浄する表面の種類によってトラックの硬度を変更することが可能となる。上記防水ハウジング２は、前部と後部を有している。上記装置１は、上記２つの磁気連続トラック３のそれぞれに、防水の前輪５と後輪６をさらに備えている。上記ハウジング２には、２つの電気駆動モータ１４、１７が設けられている。一方の電気駆動モータ１４は、磁気連続トラック３のうちの１つの従動前輪６に動作可能に接続され、他方の電気駆動モータ１７は、磁気連続トラックの後輪６に動作可能に接続されている。
【００６１】
各電気駆動モータ１４、１７には、減速ギア１５、１８とほぼ円筒形状を有する電気駆動モータ１４との結合に関与している電気駆動モータ１４、１７と１つの一体ユニットを形成する減速ギア１５、１８が設けられ、各従動前輪又は後輪６が、該減速ギアの、もしくは各減速ギア１５、１８と動作可能に接続されたクラッチ１６、１９の出力軸２７、２８に直接嵌合している。
【００６２】
電気駆動モータ１４、１７は、その出力軸２７、２８に対向する部分が上記ハウジングの側面から突出し、非従動前輪又は後輪５は、電気駆動モータ１４、１７の突出部分が、その突出部分の上方に配置されている非従動前輪又は後輪５の内側に収容可能となるオフセットを有している。
【００６３】
電気駆動モータ１４、１７は、防水ハウジング２の２つの対向する長手方向端部又はその付近に配置され、それぞれの出力軸及び／又は該電気駆動モータ１４、１７と結合した減速ギア１６、１８のそれぞれの出力軸がそれぞれ反対の方向に向けられ、ハウジング２の対向する長手方向端部又はその付近において、防水ハウジング２の対向する側面から突出していることが好ましい。
【００６４】
上記装置１は、電気駆動モータと減速ギアユニットに一体的に接続されたクラッチユニット１６、１９を備えている。駆動モータと、減速ギアと、クラッチユニットとを組み合わせたものは、円筒形状を有していることが好ましい。上記防水ハウジング２は、ライト、カメラ、センサ１２を取り付けるよう設定可能なインタフェース領域が設けられた前側又は後側８を有している。
【００６５】
図７は、上記装置に関連し、磁気無端トラック３がうっかり船体又は貨物倉の壁部から切り離されてしまった場合に装置１が紛失してしまわないようにするサスペンションワイヤ２３で装置に接続されたドッキングステーション３０を示す図である。電源ケーブル２４がドッキングステーション３０と装置１の間に延在し、装置１に電力を供給している。一実施例では電源ケーブル２４と一体化が可能な通信ケーブル（図示せず）により、装置１とドッキングステーション３０との間で信号の送信が可能となっている。
【００６６】
上記ドッキングステーション３０は、高圧水を送水するための高圧ポンプ（図示せず）を備えている。装置１に取り付けられた高圧洗浄ツール２０の入口は、高圧ホース（図示せず）を介して高圧ポンプの出口に接続されている。
【００６７】
上記装置１を貨物倉の洗浄に使用する際は、上記ドッキングステーションを省いて、その代わりに、シンプルなハーネスシステムをハッチ開口部に取り付け、ドロップブロックとして機能させることができる。洗浄ツール２０は、高圧洗浄ノズル２２及び／又は高圧ポンプからの高圧水で、もしくは電気駆動モータで作動することが好ましい少なくとも１つのブラシ駆動部（図示せず）を備えている。
【００６８】
ユーザインタフェースユニット３６は、ドッキングステーション３０に接続されている、もしくはその一部である。このユーザインタフェースユニットは、人間オペレータからの入力に応じて、装置１の動作を制御するユーザインタフェース要素を有している。装置１は、人間オペレータからの正確な指示を実行するよう構成されていたり、人間オペレータの命令に応じて自律的にタスクを実行するよう構成されている。
【００６９】
上記ドッキングステーション３０には、船舶５０の給水システムと接続するためのホースリール上の給水ホース３２が設けられている。また、このドッキングステーション３０には、船舶５０のグリッドと接続するための電源ケーブル３３と電源ケーブルリール３４も設けられている。
【００７０】
さらに、ドッキングステーション３０には、サスペンションワイヤ２３用の電動ワイヤリール（図示せず）、電源ケーブル２４用のケーブルリール（図示せず）、高圧ホース用の高圧ホースリール（図示せず）も設けられている。
【００７１】
一実施例では、上記ドッキングステーション３０には車輪が付けられている。上記装置１とドッキングステーション３０は、一実施例では、装置１がドッキングステーション３０によって搬送・移送が可能なようにドッキングステーション３０に載置できるよう構成されている。
【００７２】
上記ドッキングステーション３０は、船舶５０のデッキ５７に設けられたＲＦＩＤ応答機１５の読み取りを行う無線自動識別（ＲＦＩＤ）送受信機（図示せず）を備えている。このＲＦＩＤ応答機１５は、船舶５０上において、ドッキングステーション３０にとって適した駐車位置に配置されている。ドッキングステーション３０をＲＦＩＤ応答機１５の上方又はその付近に配置することにより、ドッキングステーション３０内（又は装置１内）の電子制御ユニットが、駐車位置の領域における船体部にわたって装置１にとって正しいルートを自動的に決定する。この電子制御ユニットは、半自動又は全自動洗浄を行うよう構成されている。ＲＦＩＤ応答機１５について、船舶５０のデッキ上でのさまざまな適切な位置を図５に示す。一実施例において、上記電子制御ユニットは、最適な洗浄を行うために事前にプログラムされたルートを取るよう構成されている。
【００７３】
図５は、船首５１から船尾５２へと延びる船体６０、船橋５４、煙突５５を有する船舶５０と、ドッキングステーション３０の選択された駐車位置に対するＲＦＩＤ応答機１５とを示す図である。
【００７４】
上記装置１は、運転中、うつ伏せの状態で船体６０の上部からスタートして、船体６０の下部中央へと下方に移動し、例えば、ドッキングステーション３０の駐車位置に対応する船体６０の領域をカバーする蛇行パターンなどの適切なパターンで戻るよう駆動する。上記電動ワイヤリールは、サスペンションワイヤ２３を最低限の張力に保ち、ワイヤ２３がたるまないようにしている。上記電源ケーブルリール及び高圧ホースリールは、装置１の移動中、電源ケーブルと高圧ホースを軽い張力に保つために、弾性を有するもの又は電動式である。
【００７５】
図３は、貨物スペースの壁部７０上で作動中の装置１を示し、水ジェット１３によって、任意の船梁７２を含む貨物倉の表面を洗浄している。この装置１は、船梁７２などの障害物との距離を保つことができるようにする信号を出して装置の動作をアシストする各種センサをさらに備えている。
【００７６】
そして、上記装置１は、運転中、あおむけの状態で貨物スペースの下部をスタートして、貨物スペースの上部へと下方に移動し、例えば、ドッキングステーション３０の現駐車位置に対応する貨物スペースの領域をカバーする蛇行パターン又はその他の適切なパターンで戻るよう駆動する。サスペンションワイヤ２３を設けることは、貨物スペースを洗浄する上で、装置１の使用にとって不可欠ではない。
【００７７】
上記装置１は、早期洗浄を行うことにより、ひどい汚損を防止することができる。この予防的洗浄は、高圧水噴流又はブラシによる軽い洗浄によってサポートされている。この装置１は、磁気付着により、航海中でも洗浄を行うことができる。また、この装置は、磁気トラックにより、水線上方での洗浄を行うことが可能であり、これは貨物／バラスト中などでは水位が異なるため必要である。
【００７８】
上記装置１は船舶に常設可能ではあるが、現在の解決策はいずれも「オンデマンド要請」であり、永久的に船上での必要に応じた使用となる。
【００７９】
図８〜図２１は、船舶５０の船体６０の外側を洗浄し、貨物倉の壁部７０を洗浄する装置１の他の実施例を示す図である。本実施例の装置は、上記実施例に係る装置１と類似しており、好ましくは防水のハウジング２と、そのハウジング２の対向する側面に磁気連続トラック３を備えている。この装置１の底部側１６は、船体の外側又は貨物倉の壁部と対向するよう構成されている。上記磁気連続トラック３の少なくとも一方の範囲の第１の部分は、装置１の底部側１６に配置されている。各磁気連続トラック３は、駆動ピン１０で相互接続された複数のリンク９を有している。この磁気連続トラック３は、前輪６と後輪５に掛け渡され、その前後輪の少なくとも一方が、駆動輪、すなわち、駆動モータに接続され、磁気連続トラック３のリンク９の接続部における駆動ピンを係合可能なスプロケットである。このリンク９は、内向き側１８と外向き側１９とを有している。
【００８０】
上記駆動ピン１０は、リンク９から外側方へ突出している。これにより、スプロケットが駆動ピン１０を係合しやすくなり、ガイド４０が駆動ピン１０と係合しやすくなる。このガイド４０によって、前輪６と後輪５の間の磁気連続トラック３の範囲の第１の部分にあるリンク９が、外向き側１９が向いている方向に移動するのを防ぐ。
【００８１】
上記ガイド４０は、駆動ピン１０の外向き方向への移動を防ぐ。これにより、連続トラックの屈曲（連続トラック３の部分に力が加えられていない場合の該連続トラックの部分によって仮定される前後輪間の直線に対する屈曲）によりリンク９が「１つずつ」船体から分離（剥離）することがほとんど不可能となる。このガイド４０によって、船体と接触しているリンク９が、まるで剛体に固定され、一直線上に配置されているかのように機能するようになる。よって、装置１は、磁気連続トラック３のリンク９が「一度に１つずつ剥離する」のとは対照的に、すべての磁気リンク９の接触が同時に外れることによってのみ船体から取り外すことができる。このようにリンク９が１つのリンク剛体として機能することによって、磁気連続トラックを船体から取り外す力又は負荷が大幅に増加する。この力／負荷は、上記ガイド４０が設けられていない場合、単一のリンク９を取り外すのに必要な力にほぼ相当する。一方、ガイド４０が設けられている場合、磁気連続トラック３を船体から取り外す力／負荷は、単一のリンク９を取り外すのに必要な力に、ガイド４０によって同時に支持されているリンク９の数を乗じた力にほぼ相当する。このガイド４０によって、船体に対向している装置の側面１６で前後輪間に延在するすべてのリンクを支持することができるので、装置を取り外すのに必要な力／負荷を、船体と同時に接触しているリンク９の数に対応する分だけ増加させることができる。
【００８２】
各磁気連続トラック３は、ツールが着脱可能に取り付けられている主面側と、装置１の船体外側又は貨物倉の壁部に対向する側１６との両方において、前輪６と後輪５の間にほぼ一直線に延在している。ツール２０には、高圧源に接続された噴射ノズル２２を備えることができる。このツールは、ラグ２７と協働する着脱が容易なボルト２８によって装置のハウジング２に着脱可能に取り付けられている。
【００８３】
ガイド４０は、上記第１の部分に沿ってほぼ一直線に延在するガイド面４１を有している。このガイド面は、図示のように、前後輪の間に磁気連続トラックの全長に沿って、もしくはその一部だけに沿って（図示せず）延在可能である。また、ガイド面４１は、図示のように、前輪及び／又は後輪のアーチに沿った湾曲部を有していてもよい。このガイド面４１は、駆動ピンを該リンクの外向き面１９が向いている方向への移動を防ぎつつ摺動可能なレール状体を形成することによって駆動ピン１０をガイドするよう構成されている。
【００８４】
一実施例では、上記ガイド４０は、ガイド面４１がサイドパネルと直角な位置にある状態で、前輪６又は後輪５の回転面と平行な第１面を有している。ガイド面４１は、サイドパネルの一体部分であることが好ましい。このガイド面４１は、サイドパネルと直角に延在する（屈曲）レッジにより形成されていることが好ましい。各磁気連続トラック３の２つの対向するガイド４０は、該磁気連続トラック３のそれぞれの側にガイド４０が１つずつ設けられている。
【００８５】
図１６及び図１７は、リンク９をさらに詳しく示す図である。このリンクは、内向き側１８と外向き側１９とを有している。各リンク９には、永久磁石４が埋め込まれている。外向き側１９には、グリップと摩擦を強化する１つ又は複数の交換可能な摩擦パッド３７が設けられている。この摩擦パッド３７は、摩耗した摩擦パッド３７の交換、もしくは、別の高さを有する摩擦パッド３７、すなわち、外向き側１９から異なる高さで突出する摩擦パッドとの交換が容易に行えるよう、外向き側１９へと開口するマッチングスロット３８内に収容されている。
【００８６】
永久磁石４は、外向き側１９の表面の近くに配置されている。摩擦パッド３７を収容するスロット３８は、この永久磁石４に隣接して、好ましくは永久磁石４の対向する両側に配置されている。
【００８７】
このように、一実施例によれば、磁気連続トラック３のリンク９における永久磁石４と、その磁気連続トラック３が磁気的に取り付けられた壁部又は船体との距離を調整する方法がある。この方法には、リンク９の外向き面１９から突出する交換可能な摩擦パッド３７をリンク９に設ける工程と、所定の高さを有する摩擦パッド３７を別の高さを有する摩擦パッド３７と置き換えることによって摩擦パッド３７が外向き面から突出する程度を調節する工程とが含まれる。
【００８８】
本発明について、本明細書におけるさまざまな実施例に関連して説明してきたが、開示された実施例に対する変形は、図面、開示及び添付した請求項を参照することから、当業者が請求された発明を実施することによって理解及び実行可能である。請求項において、「有する」という用語は他の要素又はステップを排除するものでなく、不定冠詞「１つの」（「ａ」又は「ａｎ」）は複数を排除するものでない。単一のプロセッサ又は他のユニットは、請求項に記載された複数のアイテムの機能を実現する。特定の手段が相互に異なる従属請求項に記載されているという単なる事実は、これらの手段の組み合わせが有利に利用可能でないことを示すものでない。
【図１】
2019526487.tif 000003
【図２】
2019526487.tif 000004
【図３】
2019526487.tif 000005
【図４】
2019526487.tif 000006
【図５】
2019526487.tif 000007
【図６】
2019526487.tif 000008
【図７】
2019526487.tif 000009
【図８】
2019526487.tif 000010
【図９】
2019526487.tif 000011
【図１０】
2019526487.tif 000012
【図１１】
2019526487.tif 000013
【図１２】
2019526487.tif 000014
【図１３】
2019526487.tif 000015
【図１４】
2019526487.tif 000016
【図１５】
2019526487.tif 000017
【図１６】
2019526487.tif 000018
【図１７】
2019526487.tif 000019
【図１８】
2019526487.tif 000020
【図１９】
2019526487.tif 000021
【図２０】
2019526487.tif 000022
【図２１】
2019526487.tif 000023
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
船舶（５０）の船体（６０）の外側を洗浄し、貨物倉の壁部（７０）を洗浄するための装置（１）であって、
ハウジング（２）であって、前記ハウジング（２）の対向する側面に磁気連続トラック（３）が設けられたハウジング（２）と、
駆動ピン（１０）で相互接続され、内向き側（１８）と外向き側（１９）とを有する複数のリンク（９）を備える前記磁気連続トラック（３）のそれぞれに対する前輪（６）及び後輪（５）と、
前記前輪（６）と前記後輪（５）との間の前記磁気連続トラック（３）の少なくとも１つの範囲の第１の部分における前記リンク（９）が、前記外向き側（１９）が向いている方向に移動するのを防ぐために前記駆動ピン（１０）と係合するように構成されたガイド（４０）と
を備えることを特徴とする装置（１）。
【請求項２】
各磁気連続トラック（３）は、前記前輪（６）の１つ及び前記後輪（５）の１つの周りに掛け渡され、各磁気連続トラック（３）は、前記装置（１）の前記船体の前記外側又は前記貨物倉の前記壁部に対向する側において前記前輪（６）の前記１つと前記後輪（５）の前記１つの間にほぼ一直線に延在していることを特徴とする、請求項１に記載の装置（１）。
【請求項３】
前記ガイド（４０）は、前記第１の部分に沿ってほぼ一直線に延在するガイド面（４１）を有し、前記ガイド面（４１）は、前記駆動ピン（１０）をガイドするように構成されていることを特徴とする、請求項１又は２に記載の装置（１）。
【請求項４】
前記ガイド（４０）は、前記前輪（６）及び後輪（５）の回転面に平行なサイドパネルと、前記サイドパネルと直角なガイド面（４１）とを有することを特徴とする、請求項１〜３のいずれかの請求項に記載の装置（１）。
【請求項５】
各磁気連続トラック（３）に対して、関係する前記磁気連続トラック（３）の各側に１つのガイド（４０）を有する、２つの対向するガイド（４０）を備えることを特徴とする、請求項１〜４のいずれかの請求項に記載の装置（１）。
【請求項６】
前記ガイド（４０）は、前記前輪（６）と前記後輪（５）との間で一直線に沿って前記駆動ピン（１０）をガイドするように構成されていることを特徴とする、請求項１〜５のいずれかの請求項に記載の装置（１）。
【請求項７】
前記ガイド（４０）は、前記リンク（９）が前記前輪（６）と前記後輪（５）との間の前記磁気連続トラック（３）の範囲において一直線構成から引き離されないように構成されていることを特徴とする、請求項１〜６のいずれかの請求項に記載の装置（１）。
【請求項８】
磁気連続トラック（３）のためのリンク（９）であって、駆動ピン（１０）によって複数のリンク（９）が相互接続され、前記リンクは、内向き側（１８）と外向き側（１９）とを有し、前記リンク（９）は、埋め込まれた永久磁石（４）を備え、前記外向き側（１９）には、１つ又は複数の交換可能な摩擦パッド（３７）が設けられていることを特徴とする、リンク（９）。
【請求項９】
前記摩擦パッド（３７）は、前記外向き側（１９）へと開口するマッチングスロット（３８）内に収容されていることを特徴とする、請求項８に記載の磁気連続トラック（３）のためのリンク（９）。
【請求項１０】
前記永久磁石（４）は、前記外向き側（１９）の表面に隣接して配置され、前記スロット（３８）は、前記永久磁石（４）に隣接して、前記永久磁石（４）の対向する両側に配置されていることを特徴とする、請求項９に記載の磁気連続トラック（３）のためのリンク（９）。
【請求項１１】
請求項８〜１０のいずれか一項に記載のリンク（９）及び複数の摩擦パッド（３７）のアセンブリであって、前記複数の摩擦パッド（３７）は、前記複数の摩擦パッド（３７）が前記外向き側（１９）の前記表面から突出する程度を調節するための異なる高さを有する、アセンブリ。
【請求項１２】
磁気連続トラック（３）のリンク（９）における永久磁石（４）と、前記磁気連続トラック（３）が磁気的に取り付けられた壁部又は船体との間の距離を調整するための方法であって、
前記リンク（９）の外向き面（１９）から突出する交換可能な摩擦パッド（３７）を前記リンク（９）に設ける工程と、
前記摩擦パッドが前記リンク（９）の外向き面（１９）から突出する程度を調節する工程と
を含むことを特徴とする方法。
【請求項１３】
船舶の船体の外側を洗浄するための、及び貨物倉内の貨物スペースの壁部を洗浄するための水中装置であって、
防水ハウジングであって、前記防水ハウジングの対向する側面に磁気連続トラックが設けられた防水ハウジングと、
少なくとも１つの磁気連続トラックに動作可能に接続され、前記磁気連続トラックを駆動する、前記ハウジング内の少なくとも１つの駆動モータと
を備え、
前記防水ハウジングは、前記磁気連続トラック間に主面を有し、前記主面は、前記船体から離れる方向に向き、前記主面は、洗浄ツールを着脱可能に取り付けるように構成されていることを特徴とする、装置。
【請求項１４】
２つの前記磁気連続トラックは、前記連続トラックが前記船舶の前記船体に磁気的に付着することが可能になるように、前記連続トラックの長さに沿ってほぼ均等に分布した複数の永久磁石を備えることを特徴とする、請求項１３に記載の装置。
【請求項１５】
前記防水ハウジングは、前部及び後部を有し、前記装置は、前記２つの磁気連続トラックのそれぞれに、前輪及び後輪をさらに備え、前記防水ハウジングは、２つの電気駆動モータを備え、一方の電気駆動モータは、前記磁気連続トラックのうちの一方の前記前輪に動作可能に接続され、他方の電気駆動モータは、前記磁気連続トラックのうちの他方の前記後輪に動作可能に接続されていることを特徴とする、請求項１３又は１４に記載の装置。
【請求項１６】
各電気駆動モータは減速ギアを備え、前記減速ギアは、前記減速ギアとほぼ円筒形状を有する前記電気駆動モータとの結合で、前記電気駆動モータと１つの一体ユニットを形成し、従動の前記前輪又は後輪のそれぞれが、前記減速ギアの出力軸、もしくは前記減速ギアに接続されたクラッチユニットの出力軸に直接嵌合していることを特徴とする、請求項１５に記載の装置。
【請求項１７】
前記電気駆動モータの前記出力軸に対向する部分は、前記防水ハウジングの側面から突出し、非従動の前輪又は後輪は、前記電気駆動モータの突出部分が前記突出部分の上方に配置されている前記非従動の前記前輪又は後輪の内側に収容されることを可能にするオフセットを有していることを特徴とする、請求項１６に記載の装置。
【請求項１８】
前記電気駆動モータは、前記防水ハウジングの２つの対向する長手方向端部又はその付近に配置され、それらの出力軸のそれぞれ、及び／又は関連する前記電気駆動モータに結合された前記減速ギアの前記出力軸のそれぞれが、対向する方向に向けられ、前記防水ハウジングの対向する長手方向端部又はその付近において前記ハウジングの対向する側面から突出していることを特徴とする、請求項１６又は１７に記載の装置。
【請求項１９】
前記電気駆動モータ及び減速ギアユニットに一体的に接続されたクラッチユニットをさらに備え、前記駆動モータと、減速ギアと、前記クラッチユニットとを組み合わせは、円筒形状を有することを特徴とする、請求項１６〜１８のいずれか一項に記載の装置。
【請求項２０】
前記防水ハウジングには、ライト、カメラ、又はセンサを取り付けるように構成可能なインタフェース領域が設けられ、前記インタフェース領域は、前記防水ハウジングの前側又は後側であることを特徴とする、請求項１３〜１９のいずれか一項に記載の装置。
【請求項２１】
サスペンションワイヤ、電源ケーブル、及び／通信ケーブルによって前記装置に接続されたドッキングステーションをさらに備えることを特徴とする、請求項１３〜２０のいずれか一項に記載の装置。
【請求項２２】
前記ドッキングステーションは、高圧水を送水するための高圧ポンプを備え、前記装置に取り付けられた高圧洗浄ツールの入口は、高圧ホースを介して前記高圧ポンプの出口に接続されていることを特徴とする、請求項２１に記載の装置。
【請求項２３】
前記洗浄ツールは、少なくとも１つのブラシ駆動部によって回転可能なノズル及び／又はブラシを備え、前記ブラシ駆動部は、前記高圧ポンプからの高圧水によって作動することを特徴とする、請求項２２に記載の装置。
【国際調査報告】
2019526487.tif 000024
2019526487.tif 000025
2019526487.tif 000026
2019526487.tif 000027